(57)【要約】【課題】テレビ装置において、ケーブルを外部端子に接続する作業やケーブル接続を変更する作業をユーザが行うに際し、そのケーブル接続が正しい外部端子になされているか接続誤りかのユーザ判断や、抜いたケーブルが正しかったか誤っていたかのユーザ判断を容易にし、そのようなユーザ判断も含めた接続作業や接続変更作業に要する時間を短縮させることを可能にする。【解決手段】テレビ装置１は、配設された複数の外部端子１５ａ，１５ｂ，・・・のそれぞれに対し、ケーブルの接続／非接続の状態の変化を検出する接続状態検出手段と、接続状態検出手段で状態の変化が検出された外部端子に関する情報を、音又は音声により報知する報知手段（音声選択部１３、音声制御部１２、スピーカユニット１１で例示）とを備える。【選択図】図１
2009194534.tif 000002
【特許請求の範囲】
【請求項１】
複数の外部端子を備えたテレビ装置において、各外部端子に対し、ケーブルの接続／非接続の状態の変化を検出する接続状態検出手段と、該接続状態検出手段で状態の変化が検出された外部端子に関する情報を、音又は音声により報知する報知手段とを備えたことを特徴とするテレビ装置。
【請求項２】
請求項１に記載のテレビ装置において、各外部端子を示す画像を含むケーブル接続ガイド画像を、当該テレビ装置の表示部に表示し、外部端子を選択するユーザ操作を受け付けるユーザインターフェースを有し、該ユーザ操作により選択された外部端子を、接続対象又は非接続にする対象の外部端子として決定する接続端子決定手段を備え、前記報知手段は、前記接続端子決定手段で決定された外部端子に対し、前記接続状態検出手段で状態の変化が検出された場合と、前記接続端子決定手段で決定された外部端子以外の外部端子に対し、前記接続状態検出手段で状態の変化が検出された場合とで、異なる音又は音声を報知することを特徴とするテレビ装置。
【請求項３】
請求項１に記載のテレビ装置において、各外部端子に対応したＬＥＤが各外部端子或いは各外部端子の隣接位置に設けられており、当該テレビ装置は、接続対象の外部端子を決定する接続端子決定手段と、該接続端子決定手段で決定された接続対象となる外部端子に対応したＬＥＤを点灯又は点滅させる第２報知手段とを備えたことを特徴とするテレビ装置。
【請求項４】
請求項３に記載のテレビ装置において、前記接続端子決定手段は、各外部端子を示す画像を含むケーブル接続ガイド画像を、当該テレビ装置の表示部に表示し、外部端子を選択するユーザ操作を受け付けるユーザインターフェースを有し、該ユーザ操作により選択された外部端子を、前記接続対象の外部端子として決定することを特徴とするテレビ装置。
【請求項５】
請求項３に記載のテレビ装置において、当該テレビ装置の表示部に表示させる映像の入力ソースを切り換えるユーザ操作を受け付け、該受け付けたユーザ操作に応じて入力ソースを切り換える入力ソース切換手段を備え、前記接続端子決定手段は、前記入力ソース切換手段により入力ソースが切り換えられたときに、前記接続状態検出手段での検出の結果から、前記選択された入力ソースに対応する外部入力端子が接続されていなかった場合にのみ、該外部入力端子を前記接続対象の外部端子として決定することを特徴とするテレビ装置。
【請求項６】
複数の外部端子を備えたテレビ装置において、各外部端子に対応したＬＥＤが各外部端子或いは各外部端子の隣接位置に設けられており、当該テレビ装置は、接続対象の外部端子を決定する接続端子決定手段と、該接続端子決定手段で決定された接続対象となる外部端子に対応したＬＥＤを点灯又は点滅させる報知手段とを備えたことを特徴とするテレビ装置。
【請求項７】
請求項６に記載のテレビ装置において、前記接続端子決定手段は、各外部端子を示す画像を含むケーブル接続ガイド画像を、当該テレビ装置の表示部に表示し、外部端子を選択するユーザ操作を受け付けるユーザインターフェースを有し、該ユーザ操作により選択された外部端子を、前記接続対象の外部端子として決定することを特徴とするテレビ装置。
【請求項８】
請求項６に記載のテレビ装置において、当該テレビ装置の表示部に表示させる映像の入力ソースを切り換えるユーザ操作を受け付け、該受け付けたユーザ操作に応じて入力ソースを切り換える入力ソース切換手段と、各外部端子に対し、ケーブルの接続／非接続の状態の変化を検出する接続状態検出手段とを備え、前記接続端子決定手段は、前記入力ソース切換手段により入力ソースが切り換えられたときに、前記接続状態検出手段での検出の結果から、前記選択された入力ソースに対応する外部入力端子が接続されていなかった場合にのみ、該外部入力端子を前記接続対象の外部端子として決定することを特徴とするテレビ装置。
【発明の詳細な説明】
【技術分野】
【０００１】
本発明は、外部入力や外部出力に用いる外部端子を複数配設したテレビ装置に関する。
【背景技術】
【０００２】
テレビ装置には、映像や音声の外部入力や外部出力を可能とするために、外部入力端子や外部出力端子が表示部の背面、側面、底面、上面、前面に配設されている。そして、テレビ装置に配設される外部入力端子や外部出力端子の数は、様々なＡＶ（Audio Visual）関連の規格に対応するために多くなる。
【０００３】
そして、テレビ装置のキャビネットの各外部端子の位置には、印字されている外部端子の名称が印字されている。ユーザは、この名称を視認しながら、数ある外部端子の中からその外部機器及びそれに接続されるケーブルに合った外部端子を選んで、テレビ装置にケーブル接続することになる。
【０００４】
しかし、テレビ装置の外部端子は主に表示部の背面や側面や底面にあり、且つ特に大型のテレビ装置が簡単に移動できないため、外部端子の挿／抜の作業を行うには無理な体勢を余儀なくされる。そして、無理な体勢のままでは名称を示す文字を視認できない外部端子があるため、ユーザは林立する複数の外部端子の中から目的の外部端子の位置を確認できず、喩え外部端子やケーブルの種類に関する知識があるユーザであっても、説明書を見ながら勘に頼ってケーブル接続を試みるしかない。
【０００５】
特に、同じ形状の端子が複数あった場合、実際にケーブル接続を行った後に、映像・音声が、正しく入力され表示されているか、或いは出力されているかを確認するまで、正しく接続されているか否かを判断できない。つまり、正しくない同形状の外部端子に接続してしまうなどの接続誤りを起こした場合でも、外部入力端子の場合にはテレビ装置にその映像を表示させてみないと接続誤りか否かを判断できず、外部入力端子の場合には外部機器への送信結果を得るまで、或いは外部機器に送信された映像や音声の再生を試みるまで、接続誤りか否かを判断できない。また、接続したいケーブルに合う外部端子がテレビ装置に一つしか設けられていない場合でも、その外部端子の位置を正確に確認できないため、他の外部端子に接続を試みて接続できないことを確認しつつ、正しい外部端子を探るしかない。
【０００６】
勿論、背面、側面、底面などにある外部端子を無理な体勢をとらずに視認できるようにテレビ装置を移動させた後に、ケーブルを接続し、テレビ装置を設置場所に戻すといった作業を行うことも考えられるが、近年のテレビ装置の大型化に伴ってその労力は多大なものとなる。
【０００７】
なお、外部機器側のケーブル接続に関し、特許文献１には、テレビ装置等の外部映像表示部との接続前又は接続後に映像出力端子の選択状況を確認することが可能なＤＶＤ（Digital Versatile Disk）再生装置等の再生装置が開示されている。この再生装置では、リモコンでの映像端子切換操作により、テレビ装置と接続する映像端子を複数の映像端子の間で切り換えるとともに、選択された映像端子の種別及びテレビ装置に出力される映像信号の解像度についての情報を、本体正面のフロントパネルに設けた表示部で文字表示する。
【特許文献１】特開２００７−１６６５２４号公報
【発明の開示】
【発明が解決しようとする課題】
【０００８】
上述のごとく、従来のテレビ装置において表示部の背面や側面や底面にある外部端子にケーブル接続する場合には、接続知識をもったユーザであっても、テレビ装置の設置位置を移動させない限り外部端子名が視認し難い無理な体勢で接続を行わなければならないことがあるため、ケーブル接続が正しい外部端子になされているか接続誤りかの判断も含めた接続作業に時間を要することになる。
【０００９】
また、従来のテレビ装置では、初回にケーブル接続する場合だけでなく、ケーブルを抜いて同じ外部端子又は別の外部端子に新たなケーブルを接続する場合や、ケーブルを抜いて別の同種の外部端子にそのケーブルを再接続する場合などの作業にも、多くの時間も要することになる。すなわち、従来のテレビ装置では、ケーブル接続を変更する場合にも、抜いたケーブルが正しかったか誤っていたかの判断や、再接続が正しい外部端子になされているか再接続誤りかの判断も含めた作業（接続変更作業）に時間を要することになる。
【００１０】
さらに、接続作業や接続変更作業において、正しい外部端子にケーブル接続がなされたとしても、確実に挿入されていないために、例えばテレビ装置の音声が出力されなかったり、映像が出力されなかったりすることもある。従って、正しい外部端子にケーブルが確実に挿入されているかの確認作業は、一旦音声や映像を出力してみる必要があるため、多くの時間を要することになる。
【００１１】
なお、特許文献１に記載の技術は、ケーブル接続が正しい外部端子になされること、或いはなされていること（つまり設置段階での接続が正確に行われること、或いは行われていること）を前提にした技術であり、無理な体勢を強いられる場面で正しい外部端子にユーザがケーブルを接続する際のユーザ補助を行う技術ではないため、上述のごとき問題を解決できるものではない。つまり、特許文献１に記載の技術をテレビ装置に適用したとしても、接続作業や接続変更作業に要する時間を短縮できない。
【００１２】
さらに、上述のごとく従来のテレビ装置には外部端子名が外部端子の位置に印字されているが、外部端子の数が増えるに連れてその位置を直ぐに見つけられない場合もある。特に、上述のごとき無理な体勢を強いられる場面では、大抵の設置位置の場合、テレビ装置自身の影で暗くなり外部端子名が読み難くなっており、より目的の外部端子の位置を確認することは難しくなる。
【００１３】
なお、特許文献１に記載の技術は、上述のごとくケーブル接続が正しい外部端子になされること、或いはなされていることを前提にした技術であり、接続したいケーブルに合った外部端子の位置を視認し易いようなユーザ補助を行う技術ではないため、上述のごとき問題も解決できるものではない。つまり、特許文献１に記載の技術をテレビ装置に適用したとしても、接続したいケーブルに合った外部端子の位置を確認し易くなる訳ではない。
【００１４】
本発明は、上述のごとき実状に鑑みてなされたものであり、テレビ装置において、ケーブルを外部端子に接続する作業やケーブル接続を変更する作業をユーザが行うに際し、そのケーブル接続が正しい外部端子になされているか接続誤りかのユーザ判断や、抜いたケーブルが正しかったか誤っていたかのユーザ判断を容易にし、そのようなユーザ判断も含めた接続作業や接続変更作業に要する時間を短縮させることを可能にすることを、その目的とする。
【００１５】
さらに、本発明は、テレビ装置において、接続対象のケーブルに合った外部端子の位置を視覚的により分かり易くユーザに知らせることを可能にすることを、他の目的とする。
【課題を解決するための手段】
【００１６】
上述のごとき課題を解決するために、本発明の第１の技術手段は、複数の外部端子を備えたテレビ装置において、各外部端子に対し、ケーブルの接続／非接続の状態の変化を検出する接続状態検出手段と、該接続状態検出手段で状態の変化が検出された外部端子に関する情報を、音又は音声により報知する報知手段とを備えたことを特徴としたものである。
【００１７】
第２の技術手段は、第１の技術手段において、各外部端子を示す画像を含むケーブル接続ガイド画像を、当該テレビ装置の表示部に表示し、外部端子を選択するユーザ操作を受け付けるユーザインターフェースを有し、該ユーザ操作により選択された外部端子を、接続対象又は非接続にする対象の外部端子として決定する接続端子決定手段を備え、前記報知手段は、前記接続端子決定手段で決定された外部端子に対し、前記接続状態検出手段で状態の変化が検出された場合と、前記接続端子決定手段で決定された外部端子以外の外部端子に対し、前記接続状態検出手段で状態の変化が検出された場合とで、異なる音又は音声を報知することを特徴としたものである。
【００１８】
第３の技術手段は、第１の技術手段において、各外部端子に対応したＬＥＤが各外部端子或いは各外部端子の隣接位置に設けられており、当該テレビ装置は、接続対象の外部端子を決定する接続端子決定手段と、該接続端子決定手段で決定された接続対象となる外部端子に対応したＬＥＤを点灯又は点滅させる第２報知手段とを備えたことを特徴としたものである。
【００１９】
第４の技術手段は、第３の技術手段において、前記接続端子決定手段は、各外部端子を示す画像を含むケーブル接続ガイド画像を、当該テレビ装置の表示部に表示し、外部端子を選択するユーザ操作を受け付けるユーザインターフェースを有し、該ユーザ操作により選択された外部端子を、前記接続対象の外部端子として決定することを特徴としたものである。
【００２０】
第５の技術手段は、第３の技術手段において、当該テレビ装置の表示部に表示させる映像の入力ソースを切り換えるユーザ操作を受け付け、該受け付けたユーザ操作に応じて入力ソースを切り換える入力ソース切換手段を備え、前記接続端子決定手段は、前記入力ソース切換手段により入力ソースが切り換えられたときに、前記接続状態検出手段での検出の結果から、前記選択された入力ソースに対応する外部入力端子が接続されていなかった場合にのみ、該外部入力端子を前記接続対象の外部端子として決定することを特徴としたものである。
【００２１】
第６の技術手段は、複数の外部端子を備えたテレビ装置において、各外部端子に対応したＬＥＤが各外部端子或いは各外部端子の隣接位置に設けられており、当該テレビ装置は、接続対象の外部端子を決定する接続端子決定手段と、該接続端子決定手段で決定された接続対象となる外部端子に対応したＬＥＤを点灯又は点滅させる報知手段とを備えたことを特徴としたものである。
【００２２】
第７の技術手段は、第６の技術手段において、前記接続端子決定手段は、各外部端子を示す画像を含むケーブル接続ガイド画像を、当該テレビ装置の表示部に表示し、外部端子を選択するユーザ操作を受け付けるユーザインターフェースを有し、該ユーザ操作により選択された外部端子を、前記接続対象の外部端子として決定することを特徴としたものである。
【００２３】
第８の技術手段は、第６の技術手段において、当該テレビ装置の表示部に表示させる映像の入力ソースを切り換えるユーザ操作を受け付け、該受け付けたユーザ操作に応じて入力ソースを切り換える入力ソース切換手段と、各外部端子に対し、ケーブルの接続／非接続の状態の変化を検出する接続状態検出手段とを備え、前記接続端子決定手段は、前記入力ソース切換手段により入力ソースが切り換えられたときに、前記接続状態検出手段での検出の結果から、前記選択された入力ソースに対応する外部入力端子が接続されていなかった場合にのみ、該外部入力端子を前記接続対象の外部端子として決定することを特徴としたものである。
【発明の効果】
【００２４】
本発明に係るテレビ装置によれば、ケーブルを外部端子に接続する作業やケーブル接続を変更する作業をユーザが行うに際し、そのケーブル接続が正しい外部端子になされているか接続誤りかのユーザ判断や、抜いたケーブルが正しかったか誤っていたかのユーザ判断が容易にできるようになる。これにより、ケーブルの外部端子への接続や接続変更時にユーザが感じる煩わしさを軽減できるだけでなく、そのようなユーザ判断も含めた接続作業や接続変更作業に要する時間を短縮させることができる。
【００２５】
さらに、本発明の他の形態に係るテレビ装置によれば、接続対象のケーブルに合った外部端子の位置を視覚的により分かり易くユーザに知らせることが可能になる。これにより、ケーブルの外部端子への接続時にユーザが感じる煩わしさを軽減できるだけでなく、接続作業に要する時間をより短縮することができる。
【発明を実施するための最良の形態】
【００２６】
図１は、本発明の一実施形態に係るテレビ装置の一構成例を示すブロック図で、図中、１はテレビ装置である。
【００２７】
テレビ装置１は、従来のテレビ装置と同様に例えば、全体を統合的に制御するＣＰＵ（Central Processing Unit）１６等の制御部、図示しないユーザ操作部、放送信号を受信しデコードするチューナ部やデコード部などでなる図示しない放送受信部、デコードした映像信号を表示する表示部（ディスプレイ部）１８、リサイズなど、ディスプレイ部１８での表示制御を行うディスプレイ制御部１７、デコードした音声信号を音声出力したりブザー音を出力するスピーカユニット１１、音声のミキシングや増幅など、スピーカユニット１１での音声出力を制御する音声制御部１２、複数の外部端子１５ａ，１５ｂ，・・・（以下、総称して外部端子１５という）、及び、複数の外部端子１５のそれぞれにおける映像や音声等の入出力を制御する外部入出力制御部１４などで構成される。
【００２８】
複数の外部端子１５は、映像や音声等を入力又は出力するために、テレビ装置１に配設されている。つまり、複数の外部端子１５は、テレビ装置１の背面、側面、底面、上面、前面のいずれかに配設されている。但し、本発明は前面以外に設置された外部端子１５に特に有益なものである。
【００２９】
また、外部入出力制御部１４は、外部端子１５毎に入力及び／又は出力の制御を行うことが可能となっており、どの外部端子１５からの映像や音声などを入力するか或いはどの外部端子１５へ映像や音声などを出力するかを切り換える制御も行う。ここで、外部端子１５のうち外部入力端子から入力された映像や音声は、ディスプレイ部１８やスピーカユニット１１で出力可能となっており、放送受信部で受信した映像や音声等は、外部端子１５のうち外部出力端子からケーブルを介して外部機器へ出力可能となっている。
【００３０】
本実施形態の主たる特徴の一つとして、テレビ装置１は、各外部端子１５のそれぞれに対応する接続状態検出手段が設けられている。この接続状態検出手段は、外部端子１５に対しケーブルの接続／非接続の状態の変化を検出する手段である。接続状態検出手段は、外部入出力制御部１４内の各外部端子１５にそれぞれ対応する入力／出力制御部に搭載されていればよく、各外部端子１５上にその一部が搭載されていてもよい。そして、テレビ装置１は、最終的にこの検出結果をＣＰＵ１６が得られるよう構成されていればよい。
【００３１】
例えば、外部端子１５のそれぞれに設けられた短絡検出部で短絡したか否かを検出し、外部入出力制御部１４へ伝え、外部入出力制御部１４内の書き換え可能なメモリに挿／抜（接続／非接続）の状態の情報を保持しておけばよい。外部端子１５上から外部入出力制御部１４へ伝える検出結果は、ケーブルが接続（挿入）されたことを示す信号（挿入検出信号）及びケーブルが非接続となったこと（引き抜かれたこと）を示す信号（引抜検出信号）であっても、或いは、ケーブル接続がなされている期間、接続されていることを常に伝える信号であってもよい。保持された状態の情報はＣＰＵ１６側から読み出せばよい。
【００３２】
また、外部端子１５が、ＨＤＭＩ（High-Definition Multimedia Interface）端子のように、短絡だけでケーブル接続が検出できないような規格の端子である場合には、実際にそのケーブルを介して端子に対応する外部入出力制御部１４内の入出力部が、制御データ（又は映像や音声）が通信可能となっているかを検出し、接続／非接続の状態の情報を書き換え可能なメモリに保持しておけばよい。
【００３３】
そして、本実施形態の主たる特徴の一つとして、テレビ装置１は、接続状態検出手段で状態（接続状態）の変化が検出された場合に、検出された外部端子に関する情報を音又は音声により報知する報知手段（以下、第１報知手段という）を備えている。変化が検出された外部端子に関する情報は、その外部端子の種類の情報と、ケーブルが差し込まれたのか抜かれたのかを示す情報とを含むことが好ましい。音声（音声案内としての音声）で報知することで、ユーザはどの外部端子へ実際に接続できたか、或いは非接続にできたかをより簡単に認識することができる。勿論、予め決めておいたブザー音のような報知音の違いにより外部端子の種類と挿抜とを報知してもよい。以下、音又は音声のうち、音声で報知することを前提として説明するが、音であっても基本的に同様に適用できる。
【００３４】
図１のテレビ装置１における第１報知手段は、音声制御部１２及びスピーカユニット１１と共に、出力する音声を選択する音声選択部１３で構成される。音声選択部１３は、各外部端子１５でのケーブル挿入時に対応する音声及びケーブル引抜時に出力する音声を、各外部端子１５毎に内部メモリに保持している。そして、ＣＰＵ１６が、検出結果に基づき報知対象の外部端子１５の情報とケーブルが挿入されたのか引き抜かれたのかを示す情報とを、音声選択部１３に出力し、音声選択部１３が、それらの情報に基づき報知する音声をメモリ内から選択し音声制御部１２へ出力する。音声制御部１２は、その出力に合わせてＣＰＵ１６から発せられる音声出力指令に基づき、その音声を出力するようスピーカユニット１１を制御して報知させる。
【００３５】
また、音声選択部１３の内部メモリには、各外部端子１５の名称を示す音声、ケーブル挿入時の音声、ケーブル引抜時の音声を保持しておき、音声選択部１３は、ＣＰＵ１６からの指示によりそれらを音声制御部１２に出力する。音声制御部１２は、それらを組み合わせて報知する音声を構成し、スピーカユニット１１で報知させる。また、外部端子の名称としては、外部端子の種類（及び外部端子番号）を報知すればよい。外部端子番号は同じ種類の外部端子が複数存在した場合に報知するとよい。
【００３６】
上述のごとき構成のテレビ装置１では、ユーザによりケーブルの挿／抜が行われたら、何の端子に対して接続変更が行われたかを音声により報知するため、ケーブル接続時や接続変更時（ケーブル抜出時及び接続時）に体が無理な体勢であっても、ケーブルを挿／抜した外部端子が正しかったか否か（つまり所望の接続ができたか否か）の確認が、作業直後に音声で確認することができる。また、このテレビ装置１では、接続作業や接続変更作業において、正しい外部端子にケーブルが確実に挿入されているかの確認作業を、一旦音声や映像を出力してみる必要無く、音声だけで容易に行うことができ、手間と時間を省くことができる。
【００３７】
このように、テレビ装置１では、接続作業や接続変更作業の確認の手間が省かれるため、ユーザへの負担やユーザが感じる煩わしさを軽減でき、そのようなユーザ確認（ユーザ判断）も含めた接続作業や接続変更作業に要する時間を短縮させることができる。
【００３８】
本発明は、図１で説明したテレビ装置１において各外部端子１５にＬＥＤを取り付けておき、外部端子１５のうちケーブル接続対象の外部端子を光で知らせるよう構成することが好ましい。この実施形態を図２〜図８を参照して説明する。
【００３９】
図２は、本発明の他の実施形態に係るテレビ装置の一構成例を示すブロック図で、図中、２はテレビ装置である。また、図３は図２のテレビ装置における第１ポートの構成例を示す図、図４は図２のテレビ装置における第２ポートの構成例を示す図、図５は図２のテレビ装置の外部端子の一例を示す外観図である。
【００４０】
この実施形態に係るテレビ装置も、従来のテレビ装置と同様の構成をもたせておけばよい。図２で例示するテレビ装置２は、全体を統合的に制御するＣＰＵ２５等の制御部、ユーザ操作部、放送受信部、放送受信部で受信しデコードした映像信号を表示するディスプレイ部２１、リサイズなど、ディスプレイ部２１での表示制御を行うディスプレイ制御部２２、デコードした音声信号を音声出力するスピーカユニット２３、音声のミキシングや増幅など、スピーカユニット２３での音声出力を制御する音声制御部２４、複数の外部入力端子３５ａ〜３５ｈ（以下、総称して外部入力端子３５という）、及び、複数の外部入力端子３５のそれぞれにおける映像や音声等の入力を制御する入力制御部などで構成される。
【００４１】
図２では、ユーザ操作部として、リモートコントローラ（Ｒ／Ｃ）受光部２８及びＲ／Ｃデコード部２７を備えた例を示している。Ｒ／Ｃ受光部２８は、Ｒ／Ｃユニット３でユーザ操作に基づき発せられたＲ／Ｃ信号を受光し、リモコン制御コードへ変換してＲ／Ｃデコード部２７に出力する。Ｒ／Ｃデコード部２７は、Ｒ／Ｃ受光部２８で受光したリモコン制御コードをデコードすることで、テレビ装置２の内部のイベント制御コードへ変換してＣＰＵ２５に出力する。
【００４２】
また、図２では、放送受信部として、チューナ部３１、ＭＰＥＧ（Moving Picture Experts Group）デコーダ３０、及びＤＴＶ制御部２６を備えた例を示している。チューナ部３１は、アンテナから後述するＲＦ端子３５ｈを経由して、選局された放送信号を受信する。ＭＰＥＧデコーダ３０は、チューナ部３１で受信したＭＰＥＧ放送信号に対し、Ａ／Ｖデコード処理を行い、ディスプレイ制御部２２や音声制御部２４へ出力する。ＤＴＶ制御部２６は、Ｒ／Ｃユニット３や本体に設けられた本体操作部などからの選局操作に基づくＣＰＵ２５からの指示により、デジタルテレビ放送の選局処理を行い、ＭＰＥＧデコーダ３０に対して選局情報を出力する。また、ＤＴＶ制御部２６はチャンネルの割り当て情報などの管理も行う。
【００４３】
図２では、外部入力端子３５として、ＰＣ映像端子３５ａ、ＨＤＭＩ端子３５ｂ、Ｃｏｍｐｏｎｅｎｔ（Ｐｒ）映像端子３５ｃ、Ｃｏｍｐｏｎｅｎｔ（Ｐｂ）映像端子３５ｄ、Ｃｏｍｐｏｎｅｎｔ（Ｙ）映像端子３５ｅ、Ｓ映像端子３５ｆ、Ｃｏｍｐｏｓｉｔｅ映像端子３５ｇ、及び、放送を受信するアンテナを接続するＲＦ端子３５ｈが設けられた例を挙げている。なお、ここでは外部端子のうち主に外部入力端子３５を例に挙げているが、外部出力端子及びその出力制御部も同様に搭載してもよく、図２〜図７に基づき以下に説明する外部入力端子３５に対する処理を同様に適用できる。
【００４４】
また、図２では、入力制御部として、外部入力制御部２９及びＡ／Ｖスイッチ３３を備えた例を示している。また、テレビ装置２は、外部入力用のデコーダとしてＡ／Ｖデコーダ３２を備える。Ａ／Ｖデコーダ３２は、Ａ／Ｖスイッチ３３で選択された外部入力端子３５から入力される映像・音声信号に対し、Ａ／Ｖデコード処理を行う。
【００４５】
ＣＰＵ２５は、ユーザ操作部からのユーザ操作に基づき、外部機器を切り換える制御を外部入力制御部２９に対して行う。この制御は、最終的にディスプレイ部２１やスピーカユニット２３で出力する対象の映像信号や音声信号を入力する外部機器を、切り換えるための制御である。この制御を行う手段は入力ソース切換手段に相当する。なお、テレビ放送と外部機器との間での出力切換は、ＣＰＵ２５がＤＴＶ制御部２６と外部入力制御部２９との間でいずれを制御するかで実行すればよい。
【００４６】
外部入力制御部２９は、ＣＰＵ２５からの入力ソース切換制御を受け、Ａ／Ｖデコーダ３２を介しＡ／Ｖスイッチ３３に対して外部入力端子３５の切換を指示する。Ａ／Ｖスイッチ３３は、複数の外部入力端子３５ａ〜３５ｇの中から、Ａ／Ｖデコーダ３２からの端子切換指示で指示されている外部入力端子３５（つまり指示された入力ソース切換制御で指示された入力ソースに対応する外部入力端子３５）に切り換える。これにより、Ａ／Ｖデコーダ３２は出力する映像・音声信号を選択でき、それをデコードしてディスプレイ制御部２２や音声制御部２４に出力できる。
【００４７】
外部入力制御部２９には、図１のテレビ装置１と同様に、外部入力端子３５ａ〜３５ｈのそれぞれに対しケーブルの挿入を検出するなど挿抜の変化を検出する上述の接続状態検出手段が設けられている。
【００４８】
図２では接続状態検出手段の一部を第１ポート２９ａで示している。この第１ポート２９ａは、外部入力端子３５ａ〜３５ｈのそれぞれに対応する内部メモリを有し、ＣＰＵ２５により制御され、その内部メモリの情報もＣＰＵ２５で読み出される。そして、第１ポート２９ａは、外部入力端子３５ａ〜３５ｈのそれぞれに設けられた短絡検出部から短絡したことを示す挿入検出信号を受け取ったときに、その信号を受け取った元の外部入力端子３５に対応する内部メモリの「非接続を示す情報」を「接続を示す情報」に書き換え、以降、同じ外部入力端子３５から抜出検出信号を受信するまで、その情報を保持する。
【００４９】
図３で例示する第１ポート２９ａはＧＰＩＯ（Ｇｅｎｅｒａｌ  Ｐｕｒｐｏｓｅ  Ｉ／Ｏ）ポートである。各外部入力端子３５ａ〜３５ｈはＣＰＵ２５から制御されるＧＰＩＯポート２９ａに接続され、ＧＰＩＯポート２９ａの各々１ビットが端子１個に対応する。例えばＰＣ映像端子３５ａにケーブルが非接続であった状態からＰＣ映像端子３５ａにケーブルが接続された場合、ＧＰＩＯポート２９ａではその挿入検出信号を受けて、ｂｉｔ０の値が「非接続を示す情報」の一例である「０」から「接続を示す情報」の一例である「１」へと変化する。そして、ＣＰＵ２５がＧＰＩＯポート２９ａの値の変化を検出することにより、ＰＣ映像端子３５ａへのケーブル挿入が検出できる。
【００５０】
そして、ＣＰＵ２５が、その検出結果に基づき報知対象の外部入力端子３５（この例ではＰＣ映像端子３５ａ）の情報とケーブルが挿入されたことを示す情報とを、図１の音声選択部１３及び音声制御部１２に対応する音声制御部２４に出力し、それらの情報に基づき報知する音声をメモリ内から選択して、その音声を出力するようスピーカユニット２３を制御して報知させる。
【００５１】
逆に、引抜検出信号を受けてｂｉｔ０の情報が「１」から「０」へと戻った場合にも、ＣＰＵ２５がＧＰＩＯポート２９ａの値の変化を検出することにより、ＰＣ映像端子３５ａからのケーブル引抜が検出できる。そして、ＣＰＵ２５が、その検出結果に基づき報知対象の外部入力端子３５（この例ではＰＣ映像端子３５ａ）の情報とケーブルが引き抜かれたことを示す情報とを、音声制御部２４に出力し、それらの情報に基づき報知する音声をメモリ内から選択して、その音声を出力するようスピーカユニット２３を制御して報知させる。なお、図３を参照して上述したケーブル挿抜の検出は、当然、図１で説明した実施形態における接続状態検出手段の一例ともなる。
【００５２】
本実施形態の主たる特徴の一つとして、各外部入力端子３５ａ〜３５ｈに対応したＬＥＤ３６ａ〜３６ｈが、外部入力端子３５ａ〜３５ｈに、或いは外部入力端子３５ａ〜３５ｈの隣接位置に設けられている。つまり、外部入力端子３５ａ〜３５ｈにはそれぞれＬＥＤ３６ａ〜３６ｈがテレビ装置２に付属して設けられている。
【００５３】
また、本実施形態の主たる特徴の一つとして、テレビ装置２は次の接続端子決定手段及び報知手段（以下、第２報知手段という）を備える。接続端子決定手段は、接続対象の外部端子（図２の例では外部入力端子３５ａ〜３５ｈ）を決定する。接続対象の外部端子の決定方法については後述する。第２報知手段は、接続端子決定手段で決定された接続対象の外部入力端子３５に対し、その外部入力端子３５に対応したＬＥＤ３６を点灯又は点滅させる。
【００５４】
テレビ装置２は、この第２報知手段の一部として、ＬＥＤ３６ａ〜３６ｈの点灯制御を個別に行うＬＥＤ点灯制御部３４を備える。そして、ＣＰＵ２５からの制御により、外部入力制御部２９は、外部入力端子３５ａ〜３５ｈに対応するＬＥＤ３６ａ〜３６ｈに対する点灯制御をＬＥＤ点灯制御部３４に指示する。
【００５５】
図２の例では、この指示を行うポートとして第２ポート２９ｂが外部入力制御部２９に設けられている。この第２ポート２９ｂは、外部入力端子３５ａ〜３５ｈのそれぞれに対応する内部メモリを有し、ＣＰＵ２５により制御され、その内部メモリの情報もＣＰＵ２５で読み出される。そして、第２ポート２９ｂは、外部入力端子３５ａ〜３５ｈのそれぞれに対応して配設されているＬＥＤ３６ａ〜３６ｈに接続されている。この内部メモリには、「非接続対象であることを示す情報」が保持されており、ＣＰＵ２５から或る外部入力端子３５を接続対象とする信号を受け取ったとき、その外部入力端子３５に対応する内部メモリの「非接続対象であることを示す情報」を「接続対象であることを示す情報」に書き換える。そして、再度、同じ外部入力端子３５を非接続対象とする信号をＣＰＵ２５から受け取ったときに、その情報を元の「非接続対象であることを示す情報」に書き換える。
【００５６】
図４で例示する第２ポート２９ｂはＧＰＩＯポートである。各外部入力端子３５ａ〜３５ｈに対応するＬＥＤ３６ａ〜３６ｈはＣＰＵ２５から制御されるＧＰＩＯポート２９ｂに接続され、ＧＰＩＯポート２９ｂの各々１ビットが端子１個に対応する。例えばＣｏｍｐｏｎｅｎｔ（Ｙ）映像端子３５ｅがケーブル接続対象となった場合には、ＧＰＩＯポート２９ｂがＣＰＵ２５からそのことを示す信号を受けて、ｂｉｔ４の値が「非接続対象であることを示す情報」の一例である「０」から「接続対象であることを示す情報」の一例である「１」へと変化する。そして、ｂｉｔ４に接続されるＣｏｍｐｏｎｅｎｔ（Ｙ）映像端子３５ｅ用のＬＥＤ３６ｅが点灯する。なお、同時に他の外部入力端子をケーブル接続対象とし、同時に複数のＬＥＤを点灯させることも可能であるが、ＬＥＤの点灯がケーブルの接続位置を示す指針となるため、同時点灯は行わない方がよい。
【００５７】
ＬＥＤ３６ｅが点灯状態で、Ｃｏｍｐｏｎｅｎｔ（Ｙ）映像端子３５ｅがケーブル非接続対象となった場合には、ＧＰＩＯポート２９ｂがＣＰＵ２５からそのことを示す信号を受けて、ｂｉｔ４の値が「１」から「０」へと変化する。そして、ｂｉｔ４に接続されるＬＥＤ３６ｅが消灯する。
【００５８】
また、ＬＥＤを点滅させる場合には、点滅させる期間、ＣＰＵ２５からケーブル接続対象となったことを示す信号とケーブル非接続対象となったことを示す信号とを交互にＧＰＩＯポート２９ｂへ送るとよい。これにより、点滅させたい期間だけ、ＧＰＩＯポート２９ｂのｂｉｔ４の値が「１」と「０」との間で繰り返し切り替わり、ＬＥＤを点滅させることができる。また、ＬＥＤの点滅はＬＥＤを点灯ではなく点滅させるＬＥＤ点灯制御部３４を設けておくことでも実現できる。さらに、点滅のタイミングを外部入力端子３５毎に異ならせてもよい。
【００５９】
図５を参照して、ＬＥＤ３６ａ〜３６ｈの一構成例を説明する。図５（Ａ）に示すように、外部入力端子４２（上述の外部入力端子３５）はテレビ装置２のキャビネットの一部４１に設けられており、その端子名が近隣にプリントされている。そして、上述のＬＥＤ３６は、図５（Ａ）に示すように、ＬＥＤライト４４とその端子４５ａ，４５ｂを有し、好ましくはＬＥＤライト４４を内包する、外部入力端子４２の外形に合った内形状をもつリング状のレンズ４３を有する。そして、キャビネットの一部４１には端子４５ａ，４５ｂの挿入孔４１ａ，４１ｂを設けておき、図５（Ａ）の矢視方向にレンズ４３付きＬＥＤライト４４を外部入力端子４２に嵌め込む。
【００６０】
このようなリング状のレンズ４３を設けることで、全体が光るようにＬＥＤライト４４を演出することができ、より外部入力端子４２の位置を視認し易くなる。また、外部入力端子４２の色にＬＥＤ３６の発光色を合わせるように、ＬＥＤライト４４の色及びレンズ４３の色を選ぶことで、さらに外部入力端子４２の位置を視認し易くなる。
【００６１】
上述のごとき構成のテレビ装置２では、接続対象のケーブルに合った外部端子に対応して付属しているＬＥＤを、点灯させて、その外部端子の位置を視覚的により分かり易くユーザに示すことができ、またそのＬＥＤを点滅や発光色の違いなどで外部端子の種類もユーザに示すことができる。従って、テレビ装置２では、テレビ装置１の効果に加えて、接続作業に伴い無理な体勢であっても、所望の端子の所在がキャビネットの外部端子名を確認しなくとも発光事象により視認できるため、ＬＥＤの発光位置を頼りに探すことができ、容易にケーブルを挿入することができる。例えば、コンポーネント映像端子のように同一種類の信号であっても、Ｙ、Ｐｂ、Ｐｒの３つの端子があるため、それぞれの端子接続についてもＬＥＤの発光色と点滅によってガイドすることが可能である。このように、テレビ装置２では、外部端子位置の確認の手間が省かれるため、ケーブルの外部端子への接続作業（接続変更時の接続作業も含む）時にユーザが感じる煩わしさを軽減できるだけでなく、ユーザへの負担が軽減され、そのようなユーザ確認（ユーザ判断）も含めた接続作業に要する時間をより短縮することができる。
【００６２】
次に、外部端子の位置を知らせるＬＥＤを備えたテレビ装置に適用できる、接続対象の外部端子（上述の外部入力端子３５で例示）の決定方法について、図６及び図７を参照して説明する。図６は、図２のテレビ装置のディスプレイ部にＯＳＤ（On Screen Display）表示される端子セットアップ画面の一例を示す図で、図７は、図６の端子セットアップ画面に基づく端子セットアップ処理の一例を説明するためのフロー図である。
【００６３】
上述した接続端子決定手段は、各外部入力端子３５を示す画像を配列するなどして含むケーブル接続ガイド画像（ガイダンス画像）５０を、テレビ装置２のディスプレイ部２１に表示し、ユーザがケーブルを接続したい外部入力端子３５を選択するユーザ操作を受け付けるユーザインターフェースを有する。ガイダンス画像５０を表示させた画面が端子セットアップ画面（外部接続の確認を行う設定画面）である。
【００６４】
図６で例示するガイダンス画像５０には、図２とは異なりＣｏｍｐｏｓｉｔｅ映像端子３５ｇが２本設けられていることを前提とし、それら２本に対応する名称「ＶＩＤＥＯ１」，「ＶＩＤＥＯ２」を示す画像５２，５３、Ｃｏｍｐｏｎｅｎｔ映像端子３５ｃ〜３５ｅに対応する名称「Ｐｒ」，「Ｐｂ」，「Ｙ」を示す画像５４ｃ，５４ｂ，５４ａ、ＨＤＭＩ端子３５ｂに対応する名称「ＨＤＭＩ」を示す画像５５、ＰＣ映像端子３５ａに対応する名称「ＰＣ」を示す画像５７、並びに、ＲＦ端子３５ｈに対応する名称「アンテナ」を示す画像５６が含まれる。各画像５２〜５７はそれぞれの選択ボタンとなっている。
【００６５】
このユーザインターフェースのうち、ユーザ操作に係わる部分は、Ｒ／Ｃユニット３、Ｒ／Ｃ受光部２８、Ｒ／Ｃデコード部２７、及びＣＰＵ２５や、本体操作部及びＣＰＵ２５で例示できる。また、ディスプレイ部２１にガイダンス画像５０を表示する部分は、主にＣＰＵ２５、ディスプレイ制御部２２、及びディスプレイ部２１で例示できる。例えば、ＣＰＵ２５の内部又は外部に設けられたメモリにガイダンス画像５０を記憶しておき、Ｒ／Ｃユニット３や本体操作部でのガイダンス画像表示操作（例えばメニュー表示操作後のガイダンス画像を表示するような選択操作）に基づきそれを読み出し、ディスプレイ制御部２２がそれをディスプレイ部２１に表示させるとよい。
【００６６】
そして、Ｒ／Ｃユニット３や本体操作部でのユーザ操作により、一つの外部入力端子を示す画像（ここでは画像５２）が選択されることで、その画像５２の色を変えるなどして選択表示（図６の点線で示す端子選択カーソル５１等）すると共に、接続端子決定手段は選択された外部入力端子（ここではＶＩＤＥＯ１の端子）を、接続対象として決定する。
【００６７】
図７を参照して、上述の端子セットアップ画面に基づく端子セットアップ処理の一例を説明する。まず、ユーザ操作により端子セットアップ画面をディスプレイ部２１にＯＳＤ表示させる（ステップＳ１）。次いで、画像５２〜５７で表された選択ボタン（端子ボタン）のうちいずれかが、ユーザ操作により選択されたかをＣＰＵ２５が判定する（ステップＳ２）。ステップＳ２で選択されていなければ、端子セットアップ画面に含まれる終了ボタン５８がユーザ操作により選択されたかをＣＰＵ２５が判定し（ステップＳ３）、選択された場合には処理を終了し、選択されていない場合にはステップＳ２へ戻り、選択ボタンのいずれかが選択されるのを待つ。
【００６８】
ステップＳ２で端子ボタンの選択が検出された場合には、選択された端子ボタンに対応する外部入力端子３５のＬＥＤ３６のみを点滅させる（ステップＳ４）。ユーザは、例えばＣｏｍｐｏｎｅｎｔ（Ｙ）映像端子３５ｅにケーブル（外部機器が接続されたケーブル又は後に接続しようとするケーブル）を接続したい場合、端子セットアップ画面で「Ｙ」の画像５４ａで表された選択ボタンを選択すればよい。これにより、Ｃｏｍｐｏｎｅｎｔ（Ｙ）映像端子３５ｅに対応するＬＥＤ３６ｅを点滅させることができる。この点滅により端子の種類と端子接続位置を確認しながら、ケーブルをＣｏｍｐｏｎｅｎｔ（Ｙ）映像端子３５ｅに接続することができる。
【００６９】
続いて、ＣＰＵ２５は、ユーザがケーブルを上述の選択された外部入力端子（この例ではＣｏｍｐｏｎｅｎｔ（Ｙ）映像端子３５ｅ）に挿入したことが検出されたか否かを、第１ポート２９ａを介して判定し（ステップＳ５）、検出された場合には、音声制御部２４がスピーカユニット２３を制御して「Ｃｏｍｐｏｎｅｎｔ（Ｙ）映像端子３５ｅへ正しく接続されました。」などの音声で報知する（ステップＳ６）。そして、ＣＰＵ２５はＣｏｍｐｏｎｅｎｔ（Ｙ）映像端子３５ｅのＬＥＤ３６ｅを消灯するよう第２ポート２９ｂを介しｓてＬＥＤ点灯制御部３４に指示を送り、ＬＥＤ３６ｅを消灯させる（ステップＳ７）。その後、ステップＳ３へ進み、終了ボタン５８が選択されるまでステップＳ２へ戻って処理を繰り返す。
【００７０】
一方、ステップＳ５でＮＯであった場合には、他の外部入力端子（この例ではＣｏｍｐｏｎｅｎｔ（Ｙ）映像端子３５ｅ以外の外部入力端子）を検出したかを、ステップＳ５と同様に判定し（ステップＳ８）、検出していない場合にはステップＳ５へ戻ってＣｏｍｐｏｎｅｎｔ（Ｙ）映像端子３５ｅの接続を待つ。ステップＳ８でＹＥＳの場合には、ステップＳ８で検出された他の外部入力端子の情報を、ステップＳ６と同様に音声で報知する（ステップＳ９）。但し、ここでの報知内容は、「Ｃｏｍｐｏｎｅｎｔ（Ｙ）映像端子３５ｅ以外の端子に接続されました。接続をやり直してください。」などとしてもよい。続いて、その外部入力端子からのケーブル離脱を待ち（ステップＳ１０）、ケーブルが引き抜かれたことを検出した段階で、引き抜かれた外部入力端子（上述の他の外部入力端子）の情報を音声で報知し（ステップＳ１１）、ステップＳ５へ戻る。
【００７１】
上述の処理では、端子セットアップ画面を用いて、ユーザがテレビ装置２の外部入力端子へ外部機器を接続する際の端子位置を示し、接続／非接続の状態が変わったら音声で報知するようにしているため、ユーザの外部入力端子接続を効率よくアシストすることができ、ユーザが感じる煩わしさやユーザへの負担が軽減され、接続作業に要する時間をより短縮することができる。また、例えばＣｏｍｐｏｎｅｎｔ映像端子などの複数の端子がセットになっている端子については、上述の処理のようにＣｏｍｐｏｎｅｎｔ（Ｙ）映像端子３５ｅを接続してＹ信号を受信可能にした後（ステップＳ７の処理後）に、ステップＳ２で、Ｃｏｍｐｏｎｅｎｔ（Ｐｂ）映像端子３５ｄを選択して同様にケーブル接続し、さらにＣｏｍｐｏｎｅｎｔ（Ｐｒ）映像端子３５ｃを選択して同様にケーブル接続する、といった処理も可能となる。
【００７２】
また、端子セットアップ画面として図６を例示したが、これに限ったものではない。例えば、入力ソースを選択させるようなガイダンス画面を表示させ、そこで選択された入力ソースに対応する複数の外部入力端子の画像を、所定の順序で画面表示又は音声出力でユーザに知らせると共に、その順序で外部入力端子を順次接続対象としてもよい。つまり、選択された入力ソースの第１の外部入力端子をユーザに知らせ、ＬＥＤ表示し、ケーブル挿入が完了すると、それを音声報知する。続いて、同様の処理を、接続対象をその入力ソースの次の外部入力端子に変更して実行し、これをその入力ソースに含まれる外部入力端子が全て接続されるまで繰り返す。なお、この例では、テレビ装置２に入力ソースを切り換える入力ソース切換手段を備えることを前提とする。この入力ソース切換手段はＡ／Ｖスイッチ３３等で例示したものである。
【００７３】
次に、外部端子の位置を知らせるＬＥＤを備えたテレビ装置に適用できる、接続対象の外部端子（上述の外部入力端子３５で例示）の決定方法の他の例について、図８を参照して説明する。図８は、図２のテレビ装置における端子セットアップ処理の他の例を説明するためのフロー図である。
【００７４】
この例では、テレビ装置２に、ディスプレイ部２１に表示させる映像の入力ソースを切り換えるユーザ操作を受け付け、受け付けたユーザ操作に応じて入力ソースを切り換える入力ソース切換手段を備えることを前提とする。この入力ソース切換手段はＡ／Ｖスイッチ３３等で例示したものである。
【００７５】
そして、上述の接続端子決定手段は、図６及び図７で説明した手段と異なり、入力ソース切換手段により入力ソースが切り換えられたときに、接続状態の検出結果から、複数の外部入力端子３５ａ〜３５ｈのうち選択された入力ソースに対応する外部入力端子が接続されていなかった場合にのみ、その外部入力端子を接続対象として決定する。つまり、選択された入力ソースに対応する外部入力端子のうちケーブルが未接続の外部入力端子を接続対象として決定する。入力ソースに対応する１つ外部入力端子のＬＥＤを点灯又は点滅させ、ケーブル接続が完了すると、接続対象の外部入力端子を、その入力ソースの次の外部入力端子に変更するなどすればよい。
【００７６】
図８を参照して、この端子セットアップ処理例を説明する。まず、入力ソース切換操作が受け付けられるのをＣＰＵ２５が待つ（ステップＳ２１）。受け付けられた場合、ＣＰＵ２５が第１ポート２９ａを介してケーブルが未接続であるか否か判定し（ステップＳ２２）、接続済みである場合には、通常通り映像・音声出力処理を行う（ステップＳ３０）。
【００７７】
一方、ステップＳ２２で未接続（ＹＥＳ）の場合、ＣＰＵ２５が、ｎ＝１として（ステップＳ２３）、選択された入力ソースの第ｎ端子３５の情報をＯＳＤ表示又は音声出力により報知するよう制御し（ステップＳ２４）、第ｎ端子３５に対応するＬＥＤ３６を点滅させる（ステップＳ２５）。ここでは、Ｃｏｍｐｏｎｅｎｔ信号がケーブル経由で送信されてくる外部機器を入力ソースに切り換える操作がなされたときに、第１端子がＣｏｍｐｏｎｅｎｔ（Ｙ）映像端子３５ｅとなる例を挙げる。この例での第２端子は、例えばＣｏｍｐｏｎｅｎｔ（Ｐｂ）映像端子３５ｄとなり、第３端子はＣｏｍｐｏｎｅｎｔ（Ｐｒ）映像端子３５ｃとなる。ステップＳ２５の点滅により端子の種類と端子接続位置を確認しながら、例えば第１端子であればケーブルをＣｏｍｐｏｎｅｎｔ（Ｙ）映像端子３５ｅに接続することができる。
【００７８】
続いて、ＣＰＵ２５は、図７のステップＳ５と同様に、第ｎ端子にケーブルが挿入されたことが検出されたか否かを、第１ポート２９ａを介して判定する（ステップＳ２６）。ステップＳ２６でＹＥＳの場合、つまり検出された場合には、図７のステップＳ６，Ｓ７と同様に、音声報知・ＬＥＤ３６の消灯を行う（ステップＳ２７，Ｓ２８）。続いて、ＣＰＵ２５が、ｎ＞ｋ−１（ｋはその入力ソースに必要な端子数）か否かを判定し（ステップＳ２９）、ＹＥＳの場合、ステップＳ３０へ進む。ＮＯであった場合には、ｎをインクリメントし（ステップＳ３１）、ステップＳ２４へ戻って、ステップＳ２９でＹＥＳとなるまで処理を繰り返す。一方、ステップＳ２６でＮＯであった場合には、図７のステップＳ８〜Ｓ１１と同様の処理を行い（ステップＳ３２〜Ｓ３５）、ステップＳ２６へ戻る。
【００７９】
このような処理により、ユーザが視聴したい入力ソースを選択し、その入力ソースのケーブル接続がない場合だけＬＥＤで端子位置を知らせることができる。また、図８で説明した接続端子決定手段と図６及び図７で説明した接続端子決定手段とユーザ選択可能にテレビ装置２に搭載しておき、前者を使用する場合にはＬＥＤ３６を点滅させ、後者を使用する場合にはＬＥＤ３６を点灯させてもよい。
【００８０】
以上、図２〜図８を参照して説明した実施形態においては、外部端子の挿抜に基づく音声出力／音出力を行う機能（つまり図１を参照して説明した外部端子の挿抜に基づく音声又は音の出力を行う機能）を有することを前提として説明した。
【００８１】
本発明は、他の実施形態として、図２〜図８を参照して説明した実施形態において、外部端子の挿抜に基づく音声出力を行う機能を設けないように構成してもよい。つまり、ここで説明する実施形態に係るテレビ装置は、各外部端子に対応したＬＥＤが各外部端子或いは各外部端子の隣接位置に設けられており、上述の接続端子決定手段及び第２報知手段を備えるものである。このテレビ装置は、上述の接続状態検出手段及び第１報知手段を設けない構成をもつ。
【００８２】
本実施形態でも、図２〜図８を参照して説明した実施形態における応用例も同様に適用できる。例えば、本実施形態においても、ユーザインターフェースによりユーザ選択された外部端子を、接続対象の端子として決定してもよい。また、本実施形態においても、上述の入力ソース切換手段だけでなく、上述の接続状態検出手段を備えることを前提とするが、入力ソースが切り換えられたときに、接続状態検出手段での検出の結果から、選択された入力ソースに対応する外部入力端子が接続されていなかった場合にのみ、外部入力端子を接続対象の外部端子として決定してもよい。
【００８３】
本実施形態によれば、接続対象のケーブルに合った外部端子の位置を視覚的により分かり易くユーザに知らせることが可能になる。これにより、ケーブルの外部端子への接続時にユーザが感じる煩わしさを軽減できるだけでなく、接続作業に要する時間をより短縮することができる。
【００８４】
また、図２〜図８を参照して説明した実施形態において、図６〜図８を参照してユーザインターフェースを有する接続端子決定手段を適用する応用例を説明した。しかし、このようなユーザインターフェースは、第１報知手段（音又は音声で報知する手段）のみを備え、第２報知手段（つまりＬＥＤで報知する手段）を備えないテレビ装置においても適用できる。つまり、本発明は、他の実施形態として、図１を参照して上述した接続状態検出手段及び第１報知手段を備えたテレビ装置において、ユーザインターフェースを有する接続端子決定手段を備えるように構成してもよい。
【００８５】
本実施形態では、このような構成をもつテレビ装置において、第１報知手段は、接続端子決定手段で決定された外部端子に対し、接続状態検出手段で状態の変化が検出された場合と、接続端子決定手段で決定された外部端子以外の外部端子に対し、接続状態検出手段で状態の変化が検出された場合とで、異なる音又は音声を報知するとよい。
【００８６】
例えば、ユーザインターフェースを画面表示し、ユーザに接続したい外部端子を選択させた状態で、ユーザがケーブルを正しい外部端子に挿入した場合には、「正しく接続されました。」や「ピンポン」などという音声や音を報知するとよい。一方、このような外部端子ユーザ選択状態で、ユーザがケーブルを他の外部端子（つまりユーザが画面上で選択した外部端子とは異なる外部端子）に挿入した場合には、「ケーブルの接続先が異なります。一旦、ケーブルを抜いて正しい位置に挿し直してください。」や「ブー」などという音声や音を報知するとよい。また、所定時間経過してもケーブル接続されたことが検出できない場合には、「まだケーブルが接続されておりません。もし既にケーブルを挿入されている場合には奥まで正しく挿入ください。」などと音声で報知するとよい。
【００８７】
また、本実施形態では、ユーザインターフェースにて接続対象の外部端子をユーザ選択させる代わりに、非接続にする対象（つまりケーブルを抜く対象）の外部端子をユーザ選択させ、同様の報知を行ってもよい。非接続にする対象の外部端子がユーザ選択された状態で、ユーザが正しいケーブルを外部端子から抜いた場合には、「正しいケーブルが抜かれました。」や「ピンポン」などという音声や音を報知するとよい。一方、このような外部端子ユーザ選択状態で、ユーザが間違ったケーブルを外部端子（この端子は、ユーザが画面上で選択した外部端子とは異なる外部端子）から抜いた場合には、「抜かれたケーブルが異なります。一旦、ケーブルを挿し直して、別の正しいケーブルを抜いてください。」や「ブー」などという音声や音を報知するとよい。また、所定時間経過してもケーブルが非接続になったことが検出できない場合には、「まだケーブルが抜かれておりません。もし既にケーブルを抜かれて場合には最後まできちんと抜いてください。」などと音声で報知するとよい。
【００８８】
また、本実施形態に適用するユーザインターフェースは、外部端子をユーザ選択可能に画像表示しておくだけでなく、接続対象として外部端子を選択するか非接続にする対象として外部端子を選択するかを、ユーザ選択可能に画像表示しておくことが好ましい。
【００８９】
本実施形態によれば、ユーザが接続したい外部端子又はケーブルを抜きたい外部端子を画面上で選んで、正しい接続先にケーブルを接続していく又は正しいケーブルを抜く、といった作業を行うに際し、正しく作業ができたかのユーザ判断が容易にできるようになる。これにより、ケーブルを外部端子へ接続する時やケーブルを非接続にする時にユーザが感じる煩わしさを軽減できるだけでなく、そのようなユーザ判断も含めた接続作業や接続変更作業に要する時間を短縮させることができる。
【産業上の利用可能性】
【００９０】
本発明は、テレビ装置以外にも、例えば各種レコーダやＳＴＢ（Set Top Box）などのＡＶ機器にも適用することができる。ディスプレイ部２１に相当する表示部は、ＡＶ機器の前面などに設けられた表示部で代用すればよく、またテレビ装置等の表示装置が接続されていることが前提となるがその表示装置で代用してもよい。なお、テレビ装置以外のＡＶ機器では外部端子はその多くが背面に設けられているが、ＡＶ機器自体をラックなどに収納していた場合に、本発明が特に有用となる。
【図面の簡単な説明】
【００９１】
【図１】本発明の一実施形態に係るテレビ装置の一構成例を示すブロック図である。
【図２】本発明の他の実施形態に係るテレビ装置の一構成例を示すブロック図である。
【図３】図２のテレビ装置における第１ポートの構成例を示す図である。
【図４】図２のテレビ装置における第２ポートの構成例を示す図である。
【図５】図２のテレビ装置の外部端子の一例を示す外観図である。
【図６】図２のテレビ装置のディスプレイ部にＯＳＤ表示される端子セットアップ画面の一例を示す図である。
【図７】図６の端子セットアップ画面に基づく端子セットアップ処理の一例を説明するためのフロー図である。
【図８】図２のテレビ装置における端子セットアップ処理の他の例を説明するためのフロー図である。
【符号の説明】
【００９２】
１…テレビ装置、１１…スピーカユニット、１２…音声制御部、１３…音声選択部、１４…外部入出力制御部、１５ａ，１５ｂ（１５）…外部端子、１６…ＣＰＵ、１７…ディスプレイ制御部、１８…ディスプレイ部。
【図１】
2009194534.tif 000003
【図２】
2009194534.tif 000004
【図３】
2009194534.tif 000005
【図４】
2009194534.tif 000006
【図５】
2009194534.tif 000007
【図６】
2009194534.tif 000008
【図７】
2009194534.tif 000009
【図８】
2009194534.tif 000010